(57)【要約】【課題】  監視端末に特殊な監視端末専用のソフトウェアを実装することなく、基地局装置の監視制御を行うことが可能な移動通信システムを提供する。【解決手段】  監視機能部３３は監視端末１から基地局制御装置２を経由して送られてくる信号を伝送路Ｉ／Ｆ機能部３１及び伝送路信号切替機能部３２を経由して受け取り、その信号を終端して監視端末１とＴＣＰ／ＩＰ接続を行う。監視機能部３３は基地局装置３内の伝送路Ｉ／Ｆ機能部３１、伝送路信号切替機能部３２及び他の機能部３４から監視情報を受け取り、ＷＷＷサーバ機能３３１に提供するとともに、ＷＷＷサーバ機能３３１が監視端末１上のＷＥＢブラウザ１１から受信した制御データを解析し、その内容にしたがって各機能部の制御を行う。ＷＷＷサーバ機能３３１は各機能部の状態をｈｔｍｌ形式に変換し、監視端末１上のＷＥＢブラウザ１１からのアクセスに応じて送信を行う。【選択図】      図１
2006080705.tif 000002
【特許請求の範囲】
【請求項１】
基地局制御装置配下の複数の基地局装置各々の状態を監視端末にて監視する移動通信システムであって、
前記基地局装置内の各機能の状態を監視する監視手段と、その監視結果をＨＴＭＬ（Ｈｙｐｅｒ  Ｔｅｘｔ  Ｍａｒｋｕｐ  Ｌａｎｇｕａｇｅ）形式で前記監視装置に出力する出力手段とを前記複数の基地局装置各々に有することを特徴とする移動通信システム。
【請求項２】
前記監視装置からの制御データを解析する解析手段と、その解析結果に応じて前記基地局装置内の各機能の制御を行う制御手段とを前記複数の基地局装置各々に含むことを特徴とする請求項１記載の移動通信システム。
【請求項３】
前記監視装置は、前記基地局装置内の各機能の状態の監視結果の表示及び前記制御データの出力を行うためのＷＥＢブラウザを搭載することを特徴とする請求項２記載の移動通信システム。
【請求項４】
前記ＷＥＢブラウザからアクセスされかつ少なくとも前記監視手段と前記出力手段とを含むＷＷＷ（Ｗｏｒｌｄ  Ｗｉｄｅ  Ｗｅｂ）サーバ機能を前記複数の基地局装置各々に含むことを特徴とする請求項３記載の移動通信システム。
【請求項５】
前記監視装置の前記ＷＥＢブラウザは、前記基地局制御装置を介して前記複数の基地局装置各々の前記ＷＷＷサーバ機能にアクセスすることを特徴とする請求項４記載の移動通信システム。
【請求項６】
自装置の状態が監視端末によって監視される基地局制御装置配下の基地局装置であって、自装置内の各機能の状態を監視する監視手段と、その監視結果をＨＴＭＬ（Ｈｙｐｅｒ  Ｔｅｘｔ  Ｍａｒｋｕｐ  Ｌａｎｇｕａｇｅ）形式で前記監視装置に出力する出力手段とを有することを特徴とする基地局装置。
【請求項７】
前記監視装置からの制御データを解析する解析手段と、その解析結果に応じて前記基地局装置内の各機能の制御を行う制御手段とを含むことを特徴とする請求項６記載の基地局装置。
【請求項８】
前記監視装置に搭載されたＷＥＢブラウザからアクセスされかつ少なくとも前記監視手段と前記出力手段とを含むＷＷＷ（Ｗｏｒｌｄ  Ｗｉｄｅ  Ｗｅｂ）サーバ機能を含むことを特徴とする請求項７または請求項８記載の基地局装置。
【請求項９】
前記ＷＷＷサーバ機能は、記ＷＥＢブラウザから前記基地局制御装置を介してアクセスされることを特徴とする請求項８記載の基地局装置。
【請求項１０】
基地局制御装置配下の複数の基地局装置各々の状態を監視端末にて監視する移動通信システムに用いられる基地局装置監視方法であって、前記複数の基地局装置各々の側に、前記基地局装置内の各機能の状態を監視する第１のステップと、その監視結果をＨＴＭＬ（Ｈｙｐｅｒ  Ｔｅｘｔ  Ｍａｒｋｕｐ  Ｌａｎｇｕａｇｅ）形式で前記監視装置に出力する第２のステップとを有することを特徴とする基地局装置監視方法。
【請求項１１】
前記複数の基地局装置各々の側に、前記監視装置からの制御データを解析するステップと、その解析結果に応じて前記基地局装置内の各機能の制御を行うステップとを含むことを特徴とする請求項１０記載の基地局装置監視方法。
移動通信システム。
【請求項１２】
前記監視装置が前記基地局装置内の各機能の状態の監視結果の表示及び前記制御データの出力を行うためのＷＥＢブラウザを搭載することを特徴とする請求項１１記載の基地局装置監視方法。
【請求項１３】
前記ＷＥＢブラウザからアクセスされかつ少なくとも前記第１のステップと前記第２のステップとを含むＷＷＷ（Ｗｏｒｌｄ  Ｗｉｄｅ  Ｗｅｂ）サーバ機能を前記複数の基地局装置各々に含むことを特徴とする請求項１２記載の基地局装置監視方法。
【請求項１４】
前記監視装置の前記ＷＥＢブラウザが前記基地局制御装置を介して前記複数の基地局装置各々の前記ＷＷＷサーバ機能にアクセスすることを特徴とする請求項１３記載の基地局装置監視方法。
【請求項１５】
基地局制御装置配下の複数の基地局装置各々の状態を監視端末にて監視する移動通信システムに用いられる基地局装置監視方法のプログラムであって、前記複数の基地局装置各々のコンピュータに、前記基地局装置内の各機能の状態を監視する第１の処理と、その監視結果をＨＴＭＬ（Ｈｙｐｅｒ  Ｔｅｘｔ  Ｍａｒｋｕｐ  Ｌａｎｇｕａｇｅ）形式で前記監視装置に出力する第２の処理とを実行させるためのプログラム。
【発明の詳細な説明】
【技術分野】
【０００１】
本発明は移動通信システム、基地局装置及びそれらに用いる基地局装置監視方法並びにそのプログラムに関し、特に移動通信システムの複数の基地局装置を監視する監視方法に関する。
【背景技術】
【０００２】
移動通信システムにおいて、基地局装置を運用する際には、図４に示すように、オペレーションセンタ（基地局制御装置６）等に設置された監視端末４にて、複数の基地局装置７−１〜７−４の監視を行う必要がある。
【０００３】
その場合、従来の監視方法では、監視端末４に各基地局装置７−１〜７−４の監視項目や構成に応じた画面表示を行うために、基地局装置７−１〜７−４の種類に応じた表示プログラムを用意したり、基地局装置７−１〜７−４に応じた監視項目や構成をデータベース５として持つことで、さまざまな種類の基地局装置７−１〜７−４の監視を一つの監視端末４で実現している（例えば、特許文献１参照）。
【０００４】
【特許文献１】特開２００１−０４５０１１号公報
【発明の開示】
【発明が解決しようとする課題】
【０００５】
上述した従来の基地局装置の監視方法では、基地局装置の監視・制御項目の変更や装置構成の変更が発生した場合に、データベースの修正のみならず、場合によっては監視用ソフトウェアの修正も必要となる場合がある。
【０００６】
また、従来の基地局装置の監視方法では、データベースが正しく設定されていないために、基地局装置の監視を正しく行えない場合もある。さらに、従来の基地局装置の監視方法では、新しいベンダの基地局装置を導入する場合にも、その基地局装置に対応するために監視端末のソフトウェアに修正を行う必要もある。
【０００７】
そこで、本発明の目的は上記の問題点を解消し、監視端末に特殊な監視端末専用のソフトウェアを実装することなく、基地局装置の監視制御を行うことができる移動通信システム、基地局装置及びそれらに用いる基地局装置監視方法並びにそのプログラムを提供することにある。
【課題を解決するための手段】
【０００８】
本発明による移動通信システムは、基地局制御装置配下の複数の基地局装置各々の状態を監視端末にて監視する移動通信システムであって、
前記基地局装置内の各機能の状態を監視する監視手段と、その監視結果をＨＴＭＬ（Ｈｙｐｅｒ  Ｔｅｘｔ  Ｍａｒｋｕｐ  Ｌａｎｇｕａｇｅ）形式で前記監視装置に出力する出力手段とを前記複数の基地局装置各々に備えている。
【０００９】
本発明による基地局装置は、自装置の状態が監視端末によって監視される基地局制御装置配下の基地局装置であって、自装置内の各機能の状態を監視する監視手段と、その監視結果をＨＴＭＬ（Ｈｙｐｅｒ  Ｔｅｘｔ  Ｍａｒｋｕｐ  Ｌａｎｇｕａｇｅ）形式で前記監視装置に出力する出力手段とを備えている。
【００１０】
本発明による基地局装置監視方法は、基地局制御装置配下の複数の基地局装置各々の状態を監視端末にて監視する移動通信システムに用いられる基地局装置監視方法であって、前記複数の基地局装置各々の側に、前記基地局装置内の各機能の状態を監視する第１のステップと、その監視結果をＨＴＭＬ（Ｈｙｐｅｒ  Ｔｅｘｔ  Ｍａｒｋｕｐ  Ｌａｎｇｕａｇｅ）形式で前記監視装置に出力する第２のステップとを備えている。
【００１１】
本発明による基地局装置監視方法のプログラムは、基地局制御装置配下の複数の基地局装置各々の状態を監視端末にて監視する移動通信システムに用いられる基地局装置監視方法のプログラムであって、前記複数の基地局装置各々のコンピュータに、前記基地局装置内の各機能の状態を監視する第１の処理と、その監視結果をＨＴＭＬ（Ｈｙｐｅｒ  Ｔｅｘｔ  Ｍａｒｋｕｐ  Ｌａｎｇｕａｇｅ）形式で前記監視装置に出力する第２の処理とを実行させている。
【００１２】
すなわち、本発明の移動通信システムは、基地局装置の監視において、基地局装置の装置内監視制御機能部にＷＷＷ（Ｗｏｒｌｄ  Ｗｉｄｅ  Ｗｅｂ）サーバ機能を設け、基地局装置の状態の確認及び制御を基地局制御装置に接続した監視端末上のＷＥＢブラウザにて行うことを特徴としている。
【００１３】
これによって、本発明の移動通信システムでは、監視・制御用のデータベースを監視端末に持つことなく、またどんな基地局装置が基地局制御装置に接続されているかを意識することなく、ＷＥＢブラウザで基地局装置内の監視用のＷＷＷサーバ機能にアクセスするだけで、基地局装置の監視情報を取得し、画面に表示させたり、ＷＥＢブラウザから基地局装置の制御を行うことが可能となり、監視端末の変更なしに基地局装置の変更や増設に対応することが可能となる。
【００１４】
より具体的に説明すると、本発明の移動通信システムでは、基地局装置の制御監視機能部内にＷＷＷサーバ機能を設けるとともに、基地局装置の伝送路機能部、伝送路信号切替機能部及び他の機能部からの監視情報をＨＴＭＬ（Ｈｙｐｅｒ  Ｔｅｘｔ  Ｍａｒｋｕｐ  Ｌａｎｇｕａｇｅ）形式で出力させる機能を設けている。
【００１５】
ＷＷＷサーバ機能は監視端末から受け取った制御内容を監視制御機能部に通知し、監視制御機能部はその制御内容にしたがって基地局装置の制御を行う。また、監視制御機能部は伝送路信号切替機能部及び伝送路Ｉ／Ｆ（インタフェース）機能部を介して基地局制御装置と物理的に接続されており、基地局制御装置の伝送路Ｉ／Ｆ機能部、伝送路信号切替機能部及び信号変換機能部を介して監視端末と接続されている。
【００１６】
この経路を利用して、監視端末と監視制御部とはＩＰ（Ｉｎｔｅｒｎｅｔ  Ｐｒｏｔｏｃｏｌ）プロトコルによる通信を行う機能を備えている。すなわち、監視端末はＩＰプロトコルによって監視制御部と接続されており、監視端末上のＷＥＢブラウザを用いてＷＷＷサーバ機能にアクセスする機能を有している。
【００１７】
ＷＥＢブラウザから基地局装置の状態要求データが送信されると、監視端末はその状態要求データをＩＰパケットとして基地局制御装置に送信する。基地局制御装置の信号変換機能部は受信したＩＰパケットを変換し、基地局制御装置と基地局装置の伝送路Ｉ／Ｆ機能部にて送信可能なような形式とする。
【００１８】
基地局制御装置において、変換された状態要求データは伝送路信号切替機能部を経由して伝送路Ｉ／Ｆ機能部に送られ、伝送路Ｉ／Ｆ機能部から基地局装置の伝送路Ｉ／Ｆ機能部まで到達する。基地局装置の伝送路Ｉ／Ｆ機能部で受信された状態要求データは伝送路信号切替機能部を経由して監視制御機能部に送られ、ここでＩＰパケットとして復元され、ＷＷＷサーバ機能に到達する。
【００１９】
ＷＷＷサーバ機能は状態要求データに応じて、サーバ内のデータをＨＴＭＬ形式のＩＰパケットとして監視端末に対して送信し、そのＩＰパケットは状態要求データと逆のルートを経由して監視端末に到達する。
【００２０】
また、ＷＥＢブラウザから基地局装置の制御データが送信されると、状態要求データと同様の経路（上述した経路と同様の経路）にて、ＷＷＷサーバ機能に到達し、その制御データがＷＷＷサーバ機能から監視制御機能部へと通知され、それを受け取った監視制御機能部がその内容にしたがって基地局装置の制御を行う。
【００２１】
上記のように、本発明の移動通信システムでは、監視信号を制御監視機能部のＷＷＷサーバ機能にてＨＴＭＬ形式にして送出しているので、基地局装置の状態をＷＥＢブラウザにて表示することが可能となる。さらに、本発明の移動通信システムでは、基地局装置内のＷＷＷサーバ機能から送られてくるＨＴＭＬ形式のデータを表示した際に画面に現れるメニューやボタンの操作によって基地局装置の制御を行うことが可能となるため、監視制御を行う監視端末に特殊な端末を必要とせず、ＷＥＢブラウザのインストールされたＰＣ（パーソナルコンピュータ）等を使用することが可能となる。
【００２２】
また、本発明の移動通信システムでは、複数のベンダの基地局装置や同じベンダでも形態の異なる基地局装置が同一の基地局制御装置の配下に接続された場合でも、監視端末ではそれらを意識することなく、基地局装置内の監視制御機能部にあるＷＷＷサーバ機能から送られてくるＨＴＭＬ形式の信号をそのまま表示するだけで、それぞれの基地局装置に対応した監視画面を表示させることが可能となる。
【００２３】
これによって、本発明の移動通信システムでは、監視端末に特殊な監視端末専用のソフトウェアを実装することなく、基地局装置の監視制御を行うことが可能となる。
【００２４】
また、本発明の移動通信システムでは、基地局装置の監視・制御項目の変更や装置構成の変更の際に、監視端末側のソフトウェアの変更をすることなく、基地局装置側のソフトウェアの変更のみで対応することが可能となる。
【００２５】
さらに、本発明の移動通信システムでは、基地局制御装置に複数のベンダの基地局が接続された場合や、同一ベンダでも異なる種類の基地局が設置された場合でも、それぞれの基地局装置のＷＷＷサーバ機能がその装置の構成を把握し、その状態の報告を行うことで、監視端末側のソフトウェアを一切変更することなく、基地局装置の監視を行うことが可能となる。
【発明の効果】
【００２６】
本発明は、以下に述べるような構成及び動作とすることで、監視端末に特殊な監視端末専用のソフトウェアを実装することなく、基地局装置の監視制御を行うことができるという効果が得られる。
【発明を実施するための最良の形態】
【００２７】
次に、本発明の実施例について図面を参照して説明する。図１は本発明の一実施例による移動通信システムの構成を示すブロック図である。図１において、本発明の一実施例による移動通信システムは監視端末１と、基地局制御装置２と、基地局装置３とから構成され、監視端末１と基地局制御装置２とはＬＡＮ（Ｌｏｃａｌ  Ａｒｅａ  Ｎｅｔｗｏｒｋ）［例えば、Ｅｔｈｅｒｎｅｔ（登録商標）等］で接続されている。
【００２８】
監視端末１はＥｔｈｅｒｎｅｔ（登録商標）  Ｉ／Ｆ（インタフェース）を有し、基地局制御装置２とＩＰ（Ｉｎｔｅｒｎｅｔ  Ｐｒｏｔｏｃｏｌ）接続することができる。また、監視端末１内にはＷＥＢブラウザ１１を具備し、ＩＰ接続したＷＷＷ（Ｗｏｒｌｄ  Ｗｉｄｅ  Ｗｅｂ）サーバにアクセスすることが可能である。
【００２９】
基地局制御装置２は伝送路Ｉ／Ｆ機能部２１と、伝送路信号切替機能部２２と、信号変換機能部２３とを備え、監視端末１とＥｔｈｅｒｎｅｔ（登録商標）によって接続され、また基地局装置３と伝送路によって接続されている。
【００３０】
信号変換機能部２３は監視端末１から送られてくるＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のデータを伝送路Ｉ／Ｆで送信可能な形式に変換し、伝送路信号切替機能部２２に出力する。また、信号変換機能部２３は伝送路から伝送路Ｉ／Ｆ機能部２１に入ってきた信号のうち、監視端末１に送信すべき監視データを伝送路信号切替機能部２２から受け取り、ＴＣＰ／ＩＰに変換する。
【００３１】
伝送路信号切替機能部２２は伝送路Ｉ／Ｆ機能部２１や信号変換機能部２３から受け取った信号を正しい送信先にスイッチする機能を有する。伝送路Ｉ／Ｆ機能部２１は伝送路信号切替機能部２２からの信号を伝送路に送信し、また伝送路から受信した信号を伝送路信号切替機能部２２に送信する。
【００３２】
基地局装置３は伝送路Ｉ／Ｆ機能部３１と、伝送路信号切替機能部３２と、監視機能部３３と、他の機能部３４と、図示せぬＣＰＵ（中央処理装置）にて上記の各機能を実現するためのプログラムを格納する記録媒体３５とを備え、伝送路によって基地局制御装置２に接続されている。
【００３３】
基地局装置３の伝送路Ｉ／Ｆ機能部３１は伝送路信号切替機能部３２からの信号を伝送路に送信し、また伝送路から受信した信号を伝送路信号切替機能部３２に送信する。伝送路信号切替機能部３２は伝送路Ｉ／Ｆ機能部３１や監視機能部３３、他の機能部３４から受け取った信号を正しい送信先にスイッチする機能を有する。
【００３４】
監視機能部３３は監視端末１から基地局制御装置２を経由して送られてくる信号を伝送路Ｉ／Ｆ機能部３１及び伝送路信号切替機能部３２を経由して受け取り、その信号を終端する。すなわち、監視機能部３３は監視端末１とＴＣＰ／ＩＰ接続を行う。
【００３５】
また、監視機能部３３は内部にＷＷＷサーバ機能３３１を備え、ＴＣＰ／ＩＰ接続した監視端末１のＷＥＢブラウザ１１によってＷＷＷサーバ機能３３１をアクセスすることを可能とする。
【００３６】
さらに、監視機能部３３は基地局装置３内の伝送路Ｉ／Ｆ機能部３１、伝送路信号切替機能部３２及び他の機能部３４から監視情報を受け取り、ＷＷＷサーバ機能３３１に提供するとともに、ＷＷＷサーバ機能３３１が監視端末１上のＷＥＢブラウザ１１から受信した制御データを解析し、その内容にしたがって各機能部の制御を行う。
【００３７】
ＷＷＷサーバ機能３３１は各機能部の状態をｈｔｍｌ（Ｈｙｐｅｒ  Ｔｅｘｔ  Ｍａｒｋｕｐ  Ｌａｎｇｕａｇｅ）形式に変換し、監視端末１上のＷＥＢブラウザ１１からのアクセスに応じて送信を行う。また、ＷＷＷサーバ機能３３１はＷＥＢブラウザ１１から送信された制御データを監視機能部３３に通知する。
【００３８】
図２は本発明の一実施例によるＷＥＢブラウザ１１からＷＷＷサーバ機能３３１へのアクセス動作を示すシーケンスチャートであり、図３は本発明の一実施例によるＷＥＢブラウザ１１からＷＷＷサーバ機能３３１への制御データの送信動作を示すシーケンスチャートである。これら図１〜図３を参照して本発明の一実施例による移動通信システムの動作について説明する。尚、図２及び図３における基地局装置３の処理は基地局装置３内のＣＰＵが記録媒体３５のプログラムを実行することで実現される。
【００３９】
基地局装置３の監視機能部３３は基地局装置３内の各機能部の状態を常に監視し（図２のａ１）、それらの状態がどのような状態であるか（正常運用しているのか、故障が発生しているのか等）をＷＷＷサーバ機能３３１に提供する（図２のａ２，ａ３）。ＷＷＷサーバ機能３３１はそれらの監視情報を基地局装置３の各機能部やハードウェア構成にしたがって、ＷＷＷブラウザ１１で表示させた場合に視覚的に状態がわかるようなｈｔｍｌ形式のデータに変換する（図２のａ４）。
【００４０】
監視端末１にて基地局装置３の状態監視を行う場合、監視端末１はＷＷＷサーバ機能３３１のｈｔｍｌファイルにアクセスすることで、ＷＥＢブラウザ１１上に基地局装置３の各機能部の状態が表示される。
【００４１】
ＷＥＢブラウザ１１からＷＷＷサーバ機能３３１に対するアクセス要求があると（図２のａ５）、監視端末１はそのアクセス要求信号をＩＰパケットとして基地局制御装置２に送信する。基地局制御装置２の信号変換機能部２３は、受信したＩＰパケットを変換し、基地局制御装置２と基地局装置３との伝送路Ｉ／Ｆにて送信できるような形に変換を行う。
【００４２】
変換されたアクセス要求信号は伝送路信号切替機能部２２を経由して伝送路Ｉ／Ｆ機能部２１に送られ、伝送路Ｉ／Ｆ機能部２１から基地局装置３の伝送路Ｉ／Ｆ機能部３１まで到達する。伝送路Ｉ／Ｆ機能部３１で受信されたアクセス要求信号は、伝送路信号切替機能部３２を経由して監視機能部３３に送られ、ここでＩＰパケットとして復元され、ＷＷＷサーバ機能３３１に到達する。
【００４３】
ＷＷＷサーバ機能３３１はＷＷＷブラウザ１１からのアクセス要求に応じて、アクセス応答をＩＰパケットとして送信し、そのＩＰパケットはアクセス要求と逆のルートを経由して監視端末１に到達する（図２のａ７）。これらの機能によって、本実施例では、監視端末１上のＷＥＢブラウザ１１に対してＷＷＷサーバ機能３３１へのアクセスが可能となる。
【００４４】
一方、監視端末１から基地局装置３のある機能部に対して制御を行う場合には、ＷＥＢブラウザ１１から制御データを送信し（図３のｂ１，ｂ２）、それらを受信したＷＷＷサーバ機能３３１はそれらの制御データを監視機能部３３に通知する（図３のｂ３，ｂ４）。通知を受け取った監視機能部３３はその内容を解析し、解析結果の内容にしたがって各機能部の制御を行う（図３のｂ５）。
【００４５】
このように、本実施例では、監視端末１に特殊な監視端末専用のソフトウェアを実装することなく、基地局装置３の監視制御を行うことができる。また、本実施例では、基地局装置３の監視・制御項目の変更や装置構成の変更の際に、監視端末１側のソフトウェアの変更を行うことなく、基地局装置３側のソフトウェア変更のみで対応することができる。
【００４６】
さらに、本実施例では、基地局制御装置２に複数のベンダの基地局が接続された場合や、同一ベンダでも異なる種類の基地局が設置された場合においても、それぞれの基地局装置３のＷＷＷサーバ機能３３１がその装置の構成を把握し、その状態の報告を行うことで、監視端末１側のソフトウェアは一切変更の必要がなく、基地局装置３の監視を行うことができる。
【図面の簡単な説明】
【００４７】
【図１】本発明の一実施例による移動通信システムの構成を示すブロック図である。
【図２】本発明の一実施例によるＷＥＢブラウザからＷＷＷサーバ機能へのアクセス動作を示すシーケンスチャートである。
【図３】本発明の一実施例によるＷＥＢブラウザからＷＷＷサーバ機能への制御データの送信動作を示すシーケンスチャートである。
【図４】従来の移動通信システムの構成を示すブロック図である。
【符号の説明】
【００４８】
１  監視端末
２  基地局制御装置
３  基地局装置
１１  ＷＥＢブラウザ
２１，３１  伝送路Ｉ／Ｆ機能部
２２，３２  伝送路信号切替機能部
２３  信号変換機能部
３３  監視機能部
３４  他の機能部
３３１  ＷＷＷサーバ機能
【図１】
2006080705.tif 000003
【図２】
2006080705.tif 000004
【図３】
2006080705.tif 000005
【図４】
2006080705.tif 000006